(57)【要約】【課題】クロストーク量が低減された単層フレキシブルケーブルと共に二段アクチュエータ（ＤＳＡ）を使用できるようにするなどの多くの利点を提供する一体化リードサスペンションのための手法を提供する。【解決手段】一体化リードサスペンションは複数の導電パッドが配置された末端を含む。複数の導電性パッドは第１と第２の二段アクチュエータ（ＤＳＡ）パッドを含む。第１と第２のＤＳＡパッドは導電ビアを経由して導電部材に電気的に接続される。導電部材は島状ステンレス鋼であってもよい。第１のＤＳＡパッドは信号を複数の二段アクチュエータのそれぞれの第１の端子に伝導し、一方複数の二段アクチュエータのそれぞれの第２の端子はアースに接続される。【選択図】図４
2012123896.tif 000002
【特許請求の範囲】
【請求項１】
第１の二段アクチュエータ（ＤＳＡ）パッドと第２の二段アクチュエータ（ＤＳＡ）パッドとを含む複数の導電パッドが配置された末端を含む、ディスク駆動装置の一体化リードサスペンション（ＩＬＳ）であって、
前記第１のＤＳＡパッドと前記第２のＤＳＡパッドとは導電ビアを経由して導電部材に電気的に接続され、
前記第１のＤＳＡパッドは複数の二段アクチュエータのそれぞれの第１の端子に搬送される信号を伝導し、前記複数の二段アクチュエータのそれぞれの第２の端子はアースに接続される、
一体化リードサスペンション。
【請求項２】
前記複数の二段アクチュエータのそれぞれは圧電変換器である、
請求項１に記載の一体化リードサスペンション。
【請求項３】
前記導電部材はステンレス鋼アイランドである、
請求項１に記載の一体化リードサスペンション。
【請求項４】
前記複数の導電パッドとして８つのパッドがある、
請求項１に記載の一体化リードサスペンション。
【請求項５】
前記複数の導電パッドは単層フレキシブルケーブルに接続される、
請求項１に記載の一体化リードサスペンション。
【請求項６】
前記複数の二段アクチュエータのそれぞれは蝶番領域の近傍に位置する、
請求項１に記載の一体化リードサスペンション。
【請求項７】
前記複数の二段アクチュエータのそれぞれはスライダの近傍に位置する、
請求項１に記載の一体化リードサスペンション。
【請求項８】
前記導電部材は前記末端のジャンプ配線部内にあり、前記ジャンプ配線部はアーム電子回路モジュールに結合される、
請求項１に記載の一体化リードサスペンション。
【請求項９】
前記末端のジャンプ配線部はアーム電子回路モジュールに結合され、前記導電部材は前記複数の導電パッドの前記ジャンプ配線部とは反対側の位置のジャンプ配線部の内部にある、
請求項１に記載の一体化リードサスペンション。
【請求項１０】
前記第１のＤＳＡパッドと前記第２のＤＳＡパッドとは前記一体化リードサスペンションの前記末端の両端に物理的に配置される、
請求項１に記載の一体化リードサスペンション。
【請求項１１】
前記導電部材は信号が複数の一体化リードサスペンションに伝導される導電信号経路を形成する、
請求項１に記載の一体化リードサスペンション。
【請求項１２】
１つまたは複数の磁気記録ディスクと、
第１の二段アクチュエータ（ＤＳＡ）パッドと第２の二段アクチュエータ（ＤＳＡ）パッドとを含む複数の導電パッドが配置された末端を含む一体化リードサスペンション（ＩＬＳ）に配置された読み込み／書き込みヘッドと、
を含むハードディスク駆動装置であって、
前記第１のＤＳＡパッドと前記第２のＤＳＡパッドとは導電ビアを経由して導電部材に電気的に接続され、
前記第１のＤＳＡパッドは複数の二段アクチュエータのそれぞれの第１の端子に搬送される信号を伝導し、前記複数の二段アクチュエータのそれぞれの第２の端子はアースに接続される、
ハードディスク駆動装置
【請求項１３】
前記複数の二段アクチュエータのそれぞれは圧電変換器である、
請求項１２に記載のハードディスク駆動装置。
【請求項１４】
前記導電部材はステンレス鋼アイランドである、
請求項１２に記載のハードディスク駆動装置。
【請求項１５】
前記複数の導電パッドとして８つのパッドがある、
請求項１２に記載のハードディスク駆動装置。
【請求項１６】
前記複数の導電パッドは単層フレキシブルケーブルに接続される、
請求項１２に記載のハードディスク駆動装置。
【請求項１７】
前記複数の二段アクチュエータのそれぞれは蝶番領域の近傍に位置する、
請求項１２に記載のハードディスク駆動装置。
【請求項１８】
前記複数の二段アクチュエータのそれぞれはスライダの近傍に位置する、
請求項１２に記載のハードディスク駆動装置。
【請求項１９】
前記導電部材は前記末端のジャンプ配線部内にあり、前記ジャンプ配線部はアーム電子回路モジュールに結合される、
請求項１２に記載のハードディスク駆動装置。
【請求項２０】
前記末端のジャンプ配線部はアーム電子回路モジュールに結合され、前記導電部材は前記複数の導電パッドの前記ジャンプ配線部とは反対側の位置のジャンプ配線部の内部にある、
請求項１２に記載のハードディスク駆動装置。
【発明の詳細な説明】
【技術分野】
【０００１】
本発明は、ハードディスク駆動装置（ＨＤＤ）内の１つまたは複数の二段アクチュエータ（ＤＳＡ：ｄｕａｌ  ｓｔａｇｅ  ａｃｔｕａｔｏｒ）と共に使用する一体化リードサスペンション（ＩＬＳ）に関する。
【背景技術】
【０００２】
ハードディスク駆動装置（ＨＤＤ）は、保護筐体内に収容され磁気面を有する１つまたは複数のディスク上にデジタル符号化データを記録する不揮発性記憶装置である。ＨＤＤの作動中、各磁気記録ディスクはスピンドルシステムにより急速に回転される。アクチュエータによりディスクの特定場所の上方に位置決めされる読み込み／書き込みヘッドを使用することにより、データは磁気記録ディスクから読み取られ、それに書き込まれる。
【０００３】
読み込み／書き込みヘッドは、磁気記録ディスクの表面からデータを読み取るおよびそれに書き込むために磁場を利用する。磁気双極子磁場は磁極からの距離とともに急速に低下するので、読み込み／書き込みヘッドと磁気記録ディスクの表面との距離は厳重に制御されなければならない。アクチュエータは、磁気記録ディスクが回転する間、読み込み／書き込みヘッドと磁気記録ディスクの表面との間の適切な距離を与えるために、読み込み／書き込みヘッドにかかるサスペンションの力を利用する。したがって読み込み／書き込みヘッドは磁気記録ディスクの表面の上方を「飛行」すると言われる。磁気記録ディスクが回転を停止すると、読み込み／書き込みヘッドはディスク面から機械的着陸用台座（ｍｅｃｈａｎｉｃａｌ  ｌａｎｄｉｎｇ  ｒａｍｐ）上に「着陸」しなければならない（すなわちディスク面から離され機械的着陸用台座上に引き寄せられなければならない）。
【０００４】
ディスク上に格納されるデータの高密度化のためには、線記録密度（ディスク上の円周方向にどれだけのビットを記録できるかを表す）とトラック密度（ディスク上の半径方向にどれだけのトラックを設けることができるかを表す）を増すことが望ましい。一般的に、線記録密度とトラック密度を増すためには読み込み／書き込みヘッドの位置が高精度に知られかつ制御可能である必要がある。
【０００５】
読み込み／書き込みヘッドの位置決め精度を高めるために二段アクチュエータシステム（ｄｕａｌ  ａｃｔｕａｔｏｒ  ｓｙｓｔｅｍ）が使用されてきた。二段アクチュエータシステムは、ボイスコイルモータ（ＶＣＭ）により駆動されるアクチュエータ上に搭載される圧電変換器（ＰＺＴ：ｐｉｅｚｏｅｌｅｃｔｒｉｃ  ｔｒａｎｓｄｕｃｅｒ）のサスペンションを使用することにより実現される。初期位置決めはアクチュエータを位置決めするＶＣＭにより実行され、その後、微細位置決めはサスペンションとＰＺＴにより実行され得る。従来、一体化リードサスペンションはＶＣＭを制御するための２つのリード（ＶＣＭ＋、ＶＣＭ−と名付ける）とＰＺＴを駆動するための２つの異なるリード（ＤＳＡ＋、ＤＳＡ−と名付ける）を含むので、一体化リードサスペンション内にはディスクの上方の読み込み／書き込みヘッドの位置決めに関与する合計４つの可撓性のリードが存在する。
【発明の概要】
【発明が解決しようとする課題】
【０００６】
二段アクチュエータを支持する一体化リードサスペンションのための１つの手法によると、圧電変換器（ＰＺＴ）はサスペンション上に搭載される。信号は、アクチュエータ上に搭載されたケーブルからサスペンション上のトレースに送信される。従来から採用される６つの配線（Ｒｅａｄ＋、Ｒｅａｄ−、Ｗｒｉｔｅ＋、Ｗｒｉｔｅ−、ＴＦＣ＋、ＴＦＣ−）に加えてさらに２つの配線（ＤＳＡ＋、ＤＳＡ−）がＰＺＴを制御するために加えられる。したがって二段アクチュエータ（ＰＺＴ等）を使用するために８つの配線が必要とされるので、これらの配線のそれぞれに電気的接続を行なうための合計８つのパッドが一体化リードサスペンション（ＩＬＳ）の末端上に配置される。
【０００７】
配線は前置増幅器から各ヘッドまで１対１の態様で配置される。すべてのアクチュエータアーム上に搭載されるＰＺＴは単一配線により駆動されるので、すべてのＰＺＴはＤＳＡ＋、ＤＳＡ−信号リードに対し並列に接続されなければならない。現在、フレキシブルケーブルとＩＬＳの接続には９０°接続モードが採用される。この接続方法に関し、Ｒｅａｄ＋配線、Ｒｅａｄ−配線、Ｗｒｉｔｅ＋配線、Ｗｒｉｔｅ−配線、ＴＦＣ＋配線、ＴＦＣ−配線は、ＤＳＡ＋配線およびＤＳＡ−配線と交差する。単層フレキシブルケーブルが採用されると、フレキシブルケーブル上で信号を交差させることができなくなり、それは単層フレキシブルケーブルを使用するＤＳＡの実現を困難ないし不可能にする。
【０００８】
二層フレキシブルケーブルはケーブル上で信号を交差できるようにするが、二層フレキシブルケーブルは高価である。二層フレキシブルケーブルを使用することで、各ハードディスク駆動装置の製作コストに１０〜３０セントが加算される可能性がある。その結果、単層フレキシブルケーブルの代わりに二層フレキシブルケーブルを使用する選択により、多くのハードディスク駆動装置の製作コストに数百万ドルが加算される可能性がある。
【０００９】
図１は従来の手法を用いたこの問題の回避方法の例示である。図１は、一体化リードサスペンションの末端上で電気的接続を行なうための８つのパッドを示す。ＤＳＡパッド１１０ａ、１１０ｂは、二段アクチュエータに信号を伝導するため、及び二段アクチュエータから信号を伝導するために使用される。図１に注記されるように、ＤＳＡパッド１１０ａ、１１０ｂは二層フレキシブルケーブルまたはトレースのいずれかを使用することにより二段アクチュエータに電気的に接続される。しかしながらトレースが使用されると、トレースレイアウトの複雑さはかなりネガティブな結果を引き起こす可能性がある。例えばＤＳＡパッド１１０ａ、１１０ｂは、従来技術において、単層フレキシブルケーブルを使用することの必然的な結果として、トレースレイアウトを複雑にしてきた。図１に示すトレースレイアウトの複雑さは電気的性能に著しい悪影響（例えば、許容できないレベルのクロストークや電流誘導）を及ぼす。
【課題を解決するための手段】
【００１０】
従来の手法により悩まされたこれらおよび他の欠点を克服するために、本発明の実施形態は複数の導電パッドが配置された末端を含む一体化リードサスペンションを採用する。複数の導電パッドは第１と第２の二段アクチュエータ（ＤＳＡ）パッドを含む。第１と第２のＤＳＡパッドは導電ビアを経由して導電部材に電気的に接続される。以下、本構造配線をジャンプ配線と呼ぶ。導電部材は島状のステンレス鋼であってもよい。第１のＤＳＡパッドは信号を複数の二段アクチュエータのそれぞれの第１の端子に伝導し、一方複数の二段アクチュエータのそれぞれの第２の端子はアースに接続される。
【００１１】
第１のＤＳＡパッドと第２のＤＳＡパッドは島状の導電部材を介して電気的に接続されるので、第１のＤＳＡパッドと第２のＤＳＡパッドの一方に送信された信号は第１のＤＳＡパッドと第２のＤＳＡパッドの他方からアーム電子回路モジュールにより受信される。したがって信号（一体化リードサスペンション上のすべての二段アクチュエータに伝播された信号だけでない）がアーム電子回路モジュールから一体化リードサスペンションへ伝導されると、信号はアーム電子回路モジュールに戻される。次にアーム電子回路モジュールはこのやり方で信号を他の一体化リードサスペンションに伝播してもよい。これにより、ヘッドディスク駆動装置（ＨＤＤ）内のすべての二段アクチュエータを制御するために単一信号を使用することができ、従来の手法により悩まされた欠点を回避する。本発明の実施形態は、クロストーク量が低減された単層フレキシブルケーブルと共に二段アクチュエータ（ＤＳＡ）を使用できるようにするなど、従来技術を越える多くの利点を提供する。
【００１２】
「発明の概要」で検討された実施形態は、本明細書で検討される実施形態をすべて示唆、説明、または教示することを意図していない。したがって本発明の実施形態はこの章で検討されたものの追加の、またはそれとは異なる特徴を含んでもよい。
【００１３】
本発明の実施形態は、添付図面において制限としてではなく一例として示され、図面中の同じ参照符号は同様な要素を指す。
【図面の簡単な説明】
【００１４】
【図１】従来技術による一体化リードサスペンションの末端における導電パッドを配線するための手法の例示である。
【図２】本発明の一実施形態によるハードディスク駆動装置の上面図である。
【図３】本発明の一実施形態によるヘッドアームアセンブリ（ＨＡＡ）の上面図である。
【図４】本発明の一実施形態による一体化リードサスペンションの例示である。
【図５】本発明の一実施形態によるＩＬＳの末端の上面図と底面図の例示である。
【図６】本発明の一実施形態による導電部材を示す線図である。
【図７】本発明の一実施形態によるアーム電子回路（ＡＥ）モジュールに接続された複数の一体化リードサスペンションの末端の例示である。
【図８】本発明の一実施形態による１つの位置における導電部材の例示である。
【図９】本発明の一実施形態による別の位置における導電部材の例示である。
【図１０】本発明の一実施形態に従って１つまたは複数の二段アクチュエータを配置してよい２つの例示的な位置の例示である。
【発明を実施するための形態】
【００１５】
クロストーク量が低減された単層フレキシブルケーブルと共に二段アクチュエータ（ＤＳＡ）を使用できるようにする一体化リードサスペンションの手法について説明する。以下の説明では、説明の目的のために、本明細書に記載の本発明の実施形態を完全に理解できるように多くの特定な詳細が説明される。しかしながら本明細書に記載の本発明の実施形態はこれらの特定な詳細なしに実施可能であることが明らかとなる。他の事例では、本明細書に記載の本発明の実施形態を不必要に曖昧にしないために、公知の構造および装置がブロック線図の形式で示される。
【００１６】
［本発明の例示的実施形態の物理的説明］
本発明の実施形態はハードディスク駆動装置（ＨＤＤ）内で実施されてよい。本発明の一実施形態による図２を参照すると、実施形態を実施し得るＨＤＤ２００の上面図が示される。図２には、磁気記録ヘッド２１０ａを含むスライダ２１０ｂを含むＨＤＤの部品の機能配置を例示する。ＨＤＤ２００は、ヘッド２１０ａと、ヘッド２１０ａに取り付けられたリードサスペンション２１０ｃと、遠端部にヘッド２１０ａを含むスライダ２１０ｂに取り付けられたロードビーム２１０ｄと、を含む少なくとも１つのＨＧＡ２１０を含む。スライダ２１０ｂはロードビーム２１０ｄの遠端部でロードビーム２１０ｄのジンバル部に取り付けられる。ＨＤＤ２００はまた、スピンドル２２４上に回転自在に搭載された少なくとも１つの磁気記録ディスク２２０と、ディスク２２０を回転させるためのスピンドル２２４に取り付けられた駆動モータ（図示せず）と、を含む。ヘッド２１０ａは、ＨＤＤ２００のディスク２２０上に記録される情報を書き込み、それを読み出すための書き込み素子（いわゆるライター）と読み込み素子（いわゆるリーダー）とを含む。ディスク２２０または複数のディスク（図示せず）はディスククランプ２２８によりスピンドル２２４に固定されてよい。ＨＤＤ２００はさらに、ＨＧＡ２１０に取り付けられたアーム２３２と、キャリッジ２３４と、キャリッジ２３４に取り付けられたボイスコイル２４０を含む電機子２３６を含むボイスコイルモータ（ＶＣＭ）と、ボイスコイル磁石（図示せず）を含む固定子２４４と、を含む。ＶＣＭの電機子２３６はキャリッジ２３４に取り付けられる。ＶＣＭの電機子２３６は、挿入ピボット軸受アセンブリ２５２と共にピボット軸２４８上に搭載されたアーム２３２とＨＧＡ２１０をディスク２２０のアクセス部分に動かすように構成される。
【００１７】
本発明の一実施形態による図２をさらに参照すると、電気信号（例えば、ＶＣＭのボイスコイル２４０への電流、ＰＭＲヘッド２１０ａに対する書き込み信号と読み込み信号）はフレキシブルケーブル２５６により供給される。フレキシブルケーブル２５６とヘッド２１０ａ間の配線は、他の読み込みチャネルおよび書き込みチャネル電子部品だけでなく読み込み信号用内蔵前置増幅器も有してよいアーム電子回路（ＡＥ：ａｒｍ−ｅｌｅｃｔｒｏｎｉｃｓ）モジュール２６０により設けられてよい。フレキシブルケーブル２５６は、ＨＤＤ筐体２６８により設けられた電気的フィードスルー（図示せず）を介し電気通信を提供する電気的コネクタブロック２６４に結合される。キャスティング（ＨＤＤ筐体が鋳造されるどうかに依存するが）とも称するＨＤＤ筐体２６８は、ＨＤＤカバー（図示せず）と共にＨＤＤ２００の情報記憶部品の密閉保護筐体を提供する。
【００１８】
本発明の一実施形態による図２をさらに参照すると、ディスクコントローラと、デジタル信号処理プロセッサ（ＤＳＰ）を含むサーボ電子回路と、を含む他の電子部品（図示せず）は、駆動モータと、ＶＣＭのボイスコイル２４０と、ＨＧＡ２１０のヘッド２１０ａと、に電気信号を供給する。駆動モータに供給される電気信号は、駆動モータが回転してスピンドル２２４にトルクを与えることができるようにする。トルクは、ディスククランプ２２８によりスピンドル２２４に固定されたディスク２２０に伝達され、その結果、ディスク２２０は方向２７２に回転する。情報が記録されるディスク２２０の薄い磁気記録媒体に接触することなく、ディスク２２０の表面の上方でスライダ２１０ｂが飛行するように、回転ディスク２２０は、スライダ２１０ｂの空気軸受け面（ＡＢＳ：ａｉｒ−ｂｅａｒｉｎｇ  ｓｕｒｆａｃｅ）が乗る空気軸受けとして働く空気のクッションを生成する。ＶＣＭのボイスコイル２４０に供給される電気信号は、情報が記録されるトラック２７６にＨＧＡ２１０のヘッド２１０ａがアクセスできるようにする。
【００１９】
こうして、ＶＣＭの電機子２３６は弧２８０を描くように振れ、電機子２３６に取り付けられたＨＧＡ２１０がアーム２３２によりディスク２２０上の様々なトラックにアクセスできるようになる。情報は、ディスク２２０上のセクタ（例えばセクタ２８４）内に配置された複数の同心トラック（図示せず）に格納される。したがって各トラックは複数のセクタ化されたトラック部、例えばセクタ化トラック部２８８からなる。各セクタ化トラック部２８８は、記録データと、ヘッダー（サーボバースト信号パターン（例えば、ＡＢＣＤサーボバースト信号パターン）と、トラック２７６を特定する情報と、エラー補正コード情報と、を含む）と、からなる。トラック２７６にアクセスする際、ＨＧＡ２１０のヘッド２１０ａの読み込み素子はサーボ電子回路に位置誤差信号（ＰＥＳ：ｐｏｓｉｔｉｏｎ−ｅｒｒｏｒ−ｓｉｇｎａｌ）を与えるサーボバースト信号パターンを読み取り、ＶＣＭのボイスコイル２４０に供給される電気信号を制御してヘッド２１０ａがトラック２７６に追従できるようにする。
【００２０】
トラック２７６を発見し、特定のセクタ化トラック部２８８を特定すると、ヘッド２１０ａは、ディスクコントローラにより上位機（例えば、コンピュータシステムのマイクロプロセッサ）から受信された命令に依存してトラック２７６からデータを読み出すかあるいはトラック２７６にデータを書き込む。本発明の実施形態はまた、ヘッド２１０ａを含むスライダ２１０ｂを含むＨＧＡ２１０と、スピンドル２２４上に回転自在に搭載されたディスク２２０と、ＨＧＡ２１０に取り付けられたアーム２３２と、を含むＨＤＤ２００を包含する。
【００２１】
次に本発明の実施形態による図３を参照すると、ＨＧＡ２１０を含むヘッドアームアセンブリ（ＨＡＡ）の上面図が示される。図３には、ＨＧＡ２１０に関するＨＡＡの機能配置を例示する。ＨＡＡは、アーム２３２と、ヘッド２１０ａを含むスライダ２１０ｂを含むＨＧＡ２１０と、を含む。ＨＡＡはアーム２３２においてキャリッジ２３４に取り付けられる。複数のディスク（またはプラッタ、当該技術領域では時にディスクはプラッタと呼ばれる）を有するＨＤＤの場合、キャリッジ２３４は、櫛の外観を呈するアームのギャングアレイ（ｇａｎｇｅｄ  ａｒｒａｙ  ｏｆ  ａｒｍｓ）を保持するように配置されるので「Ｅ−ブロック」または櫛と呼ばれる。図３に示すように、ＶＣＭの電機子２３６はキャリッジ２３４に取り付けられ、ボイスコイル２４０は電機子２３６に取り付けられる。ＡＥ２６０は図示のようにキャリッジ２３４に取り付けられてよい。キャリッジ２３４は、挿入ピボット軸受アセンブリ２５２によりピボット軸２４８上に搭載される。
【００２２】
ハードディスク駆動装置（ＨＤＤ）の機能部品を説明したので、次に本発明の一実施形態による一体化リードサスペンション（ＩＬＳ）についての追加の詳細を考える。
【００２３】
［二段アクチュエータと共に使用する一体化リードサスペンション］
図４は、本発明の一実施形態による一体化リードサスペンション４００の例示である。図４の一体化リードサスペンション４００は図２、図３に示すリードサスペンション２１０ｃを実現するために使用されてもよい。図４に示すように、一体化リードサスペンション４００は末端４１０を含む。
【００２４】
図４には末端４１０の拡大図も示す。末端４１０の拡大図は８つの導電パッドを示す。これらの導電パッドは一体化リードサスペンション４００と図３のアーム電子回路（ＡＥ）モジュール２６０との間の電気的接続を行なうために使用される。末端４１０内の８つの導電パッドのうち２つは、１つまたは複数の二段アクチュエータに伝播される信号を伝導する責任を負う。例えば、図４において、ＤＳＡパッド４２０、４２２は、１つまたは複数の二段アクチュエータに伝播される信号を伝導する役割を果たす。他の６つの導電パッドは、読み込み／書き込みヘッドからの読み込み、読み込み／書き込みヘッドを使用した書き込み、および熱的飛高制御（ＴＦＣ）に関連する信号を伝導する責任を負う。
【００２５】
図４は、末端４１０の両端上に物理的に配置されるＤＳＡパッド４２０、４２２を示すが、これに限る必要はなく、他の実施形態におけるように、ＤＳＡパッド４２０、４２２は末端４１０内の導電パッドの任意のものに対応してもよい。
【００２６】
ＤＳＡパッド４２０、４２２は互いに電気的に接続される。ＤＳＡパッド４２０、４２２がどのように相互に電気的に接続され得るかを例示するために、一実施形態による末端４１０の上面図、底面図の例示である図５を考察する。図５に示すように、ＤＳＡパッド４２０、４２２は導電ビアを経由してジャンプ配線部４３０の導電部材に電気的に接続される。ジャンプ配線部４３０は島状ステンレス鋼として実現されてもよい。ジャンプ配線部４３０は、ＩＬＳの金属（例えば、ステンレス鋼）裏地層の一部を島状に残すようにＤＳＡパッド４２０とＤＳＡパッド４２２との間をエッチングすることにより、ＤＳＡパッド４２０とＤＳＡパッド４２２とを電気的に接続するために形成されてよい。
【００２７】
ジャンプ配線部４３０の別の図解が図６に示される。これは、一実施形態によるジャンプ配線部４３０の導電部材線図である。図６に示すように、ＤＳＡパッド４２０とＤＳＡパッド４２２は導電ビア４４０を経由してジャンプ配線部４３０の導電部に電気的に接続される。
【００２８】
図６に示すように、ＤＳＡパッド４２０はＰＺＴを使用して実現される二段アクチュエータ４５０に電気的に接続される。二段アクチュエータ４５０は図６では単独の二段アクチュエータとして示されるが、図６の二段アクチュエータ４５０はまたデージーチェーン配線方式で接続される複数の二段アクチュエータを表してもよい。例えば、３つの二段アクチュエータをデージーチェーン配線方式で接続するために、ＤＳＡパッド４２０から３つの二段アクチュエータへ配線４６０上を搬送される信号は、信号が最後の二段アクチュエータに送信される前に、第１の配線（ジャンプ配線部４３０から別れた）により第１の二段アクチュエータに分岐され、信号が最後の二段アクチュエータに送信される前に、第２の配線（ジャンプ配線部４３０から別れた）により第２の二段アクチュエータに再び分岐される。
【００２９】
一実施形態では、単一信号だけが二段アクチュエータ４５０に搬送される（従来技術のような２つの信号、すなわちＤＳＡ＋とＤＳＡ−、とは対照的に）ので、ＤＳＡパッド４２０とＤＳＡパッド４２２の一方から搬送された単一信号はいかなる追加のクロストークと電流誘導も招くことなく単層フレキシブルケーブルを通って搬送される。各二段アクチュエータの他の端子はアースに接続されるので、本発明の実施形態は二段アクチュエータ４５０にアース電圧用導電経路を設ける必要はない。
【００３０】
実施形態は様々な方法を使用することにより各二段アクチュエータをアースに接続してもよい。例えば一実施形態では、サスペンションは固定金属要素を介しフレキシブルケーブルの接地面に電気的に接続される。フレキシブルケーブルの接地面は、恐らくアームの金属材を介しＥ−ブロックにねじ留めすることにより、サスペンションのステンレス鋼構造材に電気的に接続される。
【００３１】
図７は、一実施形態によるアーム電子回路（ＡＥ）モジュール２６０に接続された複数の一体化リードサスペンションの末端４１０の例示である。図７に示すように、本発明の実施形態を使用することにより、単層フレキシブルケーブル上の信号の交差は、二段アクチュエータを制御する信号（ＤＳＡ信号）を導電パッド７１０から一体化リードサスペンションのＤＳＡパッド７２０へ送信することにより、ＡＥモジュール２６０からの配線との交差が回避される。ＤＳＡ信号はその後導電部材７３０によりＤＳＡパッド７２０からＤＳＡパッド７４０へ送信される。ＤＳＡ信号がＤＳＡパッド７４０に送信されると、ＤＳＡ信号は導電パッド７５０に送信される。導電パッド７５０は図７に示すように導電パッド７６０に電気的に接続される。したがってＤＳＡ信号が導電パッド７６０に送信されると、隣接ヘッドのＤＳＡパッドを介して、前記と同様にＤＳＡ制御信号が送信される。このようにして、ＤＳＡ信号はハードディスク駆動装置内のすべての一体化リードサスペンションに１つの配線により連続的に送信される。そうでなければ交差する必要がある二段アクチュエータに送信される信号はジャンプ配線部４３０の使用によりバイパスされるので、各ＩＬＳへのＤＳＡ信号の伝送は単層フレキシブルケーブルだけを使用して実現可能である。
【００３２】
ジャンプ配線部４３０は種々の異なる位置に配置されてもよい。例えば、一実施形態による１つの位置におけるジャンプ配線部４３０の例示である図８を考察する。図８において、ジャンプ配線部４３０は末端４１０のジャンプ配線部４３０の導電材（ＡＥモジュール２６０に物理的に隣接する末端４１０の辺）に配置される。
【００３３】
図９は一実施形態による異なる位置におけるジャンプ配線部４３０の例示である。図９において、ジャンプ配線部４３０は、複数の導電パッドの図８に示すジャンプ配線部４３０とは反対側の位置における図９に示すジャンプ配線部４３０にある。
【００３４】
実施形態の１つの一体化リードサスペンション（ＩＬＳ）上に搭載される１つまたは複数の二段アクチュエータは様々な位置または場所に配置されてもよい。例えば、実施形態に従って１つまたは複数の二段アクチュエータを配置してよい２つの例示的な位置を示す図１０を考える。１つまたは複数の二段アクチュエータは蝶番領域に近い位置１０１０に配置されてもよい。あるいは、１つまたは複数の二段アクチュエータはスライダ領域に近い位置１０２０に配置されてもよい。典型的な実施形態では、１つまたは複数の二段アクチュエータは、位置１０１０と位置１０２０の両方の位置ではなくそのうちの１つに存在することになる。位置１０１０は二段アクチュエータがミリアクチュエータである場合一般的に使用される。位置１０２０は二段アクチュエータがマイクロアクチュエータである場合一般的に使用される。
【００３５】
上述の明細書では、本発明の実施形態は、実施形態毎に変化し得る多数の特定の詳細を参照し説明された。したがって本発明の、および本出願者により発明であるように意図したものの唯一の指標は、特許請求範囲が由来する特定の形式の、いかなる今後の補正も含む本出願に由来する一組の特許請求範囲である。このような特許請求範囲に含まれる用語の本明細書において明示的に記載されたいかなる定義も、特許請求の範囲に使用されるような用語の意味を規定するものとする。したがって請求項内で明示的に記述されない限界、素子、特性、特徴、利点、または属性がこのような請求項の範囲を決して制限してはならない。したがって本明細書と添付図面は限定的ではなく例示的であると解釈すべきである。
【符号の説明】
【００３６】
１１０ａ、１１０ｂ  ＤＳＡパッド、２００  ＨＤＤ、２１０  ＨＧＡ、２１０ａ  磁気記録ヘッド、２１０ｂ  スライダ、２１０ｃ  リードサスペンション、２１０ｄ  ロードビーム、２２０  磁気記録ディスク、２２４  スピンドル、２２８  ディスククランプ、２３２  アーム、２３４  キャリッジ、２３６  電機子、２４０  ボイスコイル、２４４  固定子、２４８  ピボット軸、２５２  挿入ピボット軸受アセンブリ、２５６  フレキシブルケーブル、２６０  アーム電子回路モジュール、２６４  電気的コネクタブロック、２６８  ＨＤＤ筐体、２７２  方向、２７６  トラック、２８０  アーク、２８４  セクタ、２８８  セクタ化トラック部、４００  一体化リードサスペンション、４１０  末端、４２０、４２２  ＤＳＡパッド、４３０  ジャンプ配線部、４４０  導電ビア、４５０  二段アクチュエータ、４６０  配線、７１０、７５０、７６０  導電パッド、７２０、７４０  ＤＳＡパッド、７３０  ジャンプ配線部、１０１０、１０２０  位置。
【図１】
2012123896.tif 000003
【図２】
2012123896.tif 000004
【図３】
2012123896.tif 000005
【図４】
2012123896.tif 000006
【図５】
2012123896.tif 000007
【図６】
2012123896.tif 000008
【図７】
2012123896.tif 000009
【図８】
2012123896.tif 000010
【図９】
2012123896.tif 000011
【図１０】
2012123896.tif 000012